(57)【特許請求の範囲】
【請求項１】
背凭れを支持する背凭れフレームを、左右１対の縦杆と、これら縦杆の上端に横架させた、中央部から左右両端部にかけて左右対称的に漸次太さを大きくしたアーチ状をなす横杆とで形成し、前記背凭れフレームの前面に、背凭れを離間させて取り付けるとともに、前記横杆に、ハンガー部を、このハンガー部の左右端近傍から下方に向けて一体に延びる左右１対の側面視前向「く」の字状をなす支持アームを介して、背凭れの上辺部から後方に離間させて着脱可能に取り付け、かつ背凭れの上辺部を、背凭れフレームにおける横杆の上方を覆うように後方上向きに傾斜させるとともに、ハンガー部を背凭れの上辺部のほぼ延長面上に位置するように後方上向きに傾斜させたことを特徴とするハンガーを備える椅子。
【発明の詳細な説明】
【０００１】
【発明の属する技術分野】
本発明は、ハンガーを備える椅子に関する。
【０００２】
【従来の技術】
従来、ハンガーを備える椅子は、例えば特許文献１、２に示されるように公知である。このような椅子は、ハンガー部を支持する支持アームを、背凭れの裏面に直接、ブラケットを介して固着していた。
【０００３】
【特許文献１】
特開平１１−１５５６９０号公報（図３）
【特許文献２】
実開平６−４５５５３号公報（図２）
【０００４】
【発明が解決しようとする課題】
しかし、ハンガーを、背凭れの裏面に直接、ブラケットを介して固着した構成にあっては、ハンガー部に掛けられた衣服等が背凭れの裏面に接触し、背凭れに付着した埃などにより、汚れたり、椅子を回転させたときに、衣服が着席者の身体に触れたりして、着座者に不快感を与える虞がある。
【０００５】
また、背凭れの裏面には、ハンガー取付用のネジ孔等の加工を施す必要があるため、ハンガーを備える背凭れと、ハンガーを備えない背凭れとの２種類を製作しなければならず、両者における背凭れの共用化が困難である。
【０００６】
本発明は、従来の技術が有する上記のような問題点に鑑み、背凭れとハンガーとの一体感を高めることができ、美観の向上を図るとともに、衣服等を汚さないようにし、かつハンガーの着脱作業を簡便に行うことができ、着座者に不快感を与えることはなく、ハンガーを装着するものと、そうでないものとの背凭れの共用化を図ることができるハンガーを備える椅子を提供することを目的とする。
【０００７】
【課題を解決するための手段】
本発明によると、上記課題は、次のようにして解決される。
（１）背凭れを支持する背凭れフレームを、左右１対の縦杆と、これら縦杆の上端に横架させた、中央部から左右両端部にかけて左右対称的に漸次太さの異なるアーチ状をなす横杆とで形成し、前記背凭れフレームの前面に、背凭れを離間させて取り付けるとともに、前記横杆に、ハンガー部を、このハンガー部の左右端近傍から下方に向けて一体に延びる左右１対の側面視前向「く」の字状をなす支持アームを介して、背凭れの上辺部から後方に離間させて着脱可能に取り付け、かつ背凭れの上辺部を、背凭れフレームにおける横杆の上方を覆うように後方上向きに傾斜させるとともに、ハンガー部を背凭れの上辺部のほぼ延長面上に位置するように後方上向きに傾斜させたことを特徴とするハンガーを備える椅子とする。
【０００８】
【発明の実施の形態】
図１は、本発明の一実施形態の椅子(１)を示す側面図、図２は、同じく背面図である。
【０００９】
椅子(１)は、脚体(２)の中央に立設された脚柱(３)の上端に固着した支基(47)の左右両側壁(4a)(4a)に、背凭れ(５)を支持する背凭れフレーム(６)における左右１対の縦杆(７)(７)を取り付け、かつ支基(４)の上方に、前後の座支持杆(8a)(8b)を介して、座(９)を取り付けることにより形成されている。
【００１０】
背凭れ(５)は、背凭れフレーム(６)の前側に離間して取り付けられ、背凭れフレーム(６)における左右１対の縦杆(７)(７)の上端は、横杆(10)をもって連結されている。
【００１１】
この上部横杆(10)は、その中央部(10a)から左右両端部(10b)(10b)にかけて左右対称的に漸次太さを大きくしたアーチ状をなすとともに、図２におけるIII−III線、縦断側面図である図３に示すように、下方へ向かってやや厚肉となる断面形状を有する。
【００１２】
背凭れ(５)の上辺部(5a)は、背凭れフレーム(６)における横杆(10)の上方を覆うように、後方上向きにやや傾斜しており、前記横杆(10)には、後上方へ突出するハンガー(11)が取り付けられている。
【００１３】
ハンガー(11)は、例えば背広の上着などの衣服（図示せず）等が掛けられるハンガー部(12)と、このハンガー部(12)の左右端近傍から下方に向けて一体に延びる左右１対の支持アーム(13)(13)とからなっている。各支持アーム(13)は、側面視前向「く」の字状、すなわち前方に開く「く」の字状をなし、前記ハンガー部(12)は、背凭れ(５)の上辺部(5a)から後方に離間させられている。
【００１４】
また、ハンガー部(12)は、背凭れ(５)の上辺部(5a)のほぼ延長面上に位置するように、後方上向きに傾斜させられている。
【００１５】
ハンガー部(12)を支持する左右１対の支持アーム(13)(13)は、クランプ手段により背凭れフレーム(６)の横杆(10)に取り付けられている。このクランプ手段は、図３および図４に示すように、横杆(10)の後面と嵌合可能な前向きの嵌合溝(15)が形成されているとともに、その上端側中央に、後部に段部(16)を有する上向きの係止片(17)が形成されている取付部材(14)を備えている。
【００１６】
前記嵌合溝(15)は、ハンガー部(12)を支持する支持アーム(13)の下端に形成された、横杆(10)の前面と嵌合可能な後向きの嵌合溝(18)とをもって、横杆(10)を前後から密接状態で挟持しうるようになっている。
【００１７】
前記、係止片(17)は、支持アーム(13)における前記後向きの嵌合溝(18)の上面に形成された差込孔(19)に下方から差し込まれ、前記段部(16)を前記差込孔(19)の後部周縁(20)に係合させることにより、支持アーム(13)を横杆(10)に仮止めしうるようになっている。
【００１８】
取付部材(14)の下端側中央には、前後方向を向くボルト挿通孔(21)が穿設され、このボルト挿通孔(20)に対応する支持アーム(13)の端部にも、ボルト挿通孔(22)が穿設されている。これらボルト挿通孔(21)(22)にボルト(23)を取付部材(14)の後方から挿入し、支持アーム(13)のボルト挿通孔(22)側に臨ませて、ナット(24)に螺合させることにより、支持アーム(13)を横杆(10)に着脱可能に本締めすることができる。
【００１９】
なお、ボルト(23)のネジ部(23a)には、図４に示すように、ナイロン等の弾性体(23b)が頭部を除く周囲に被覆されており、ボルト挿通孔(21)(22)への挿入時におけるボルト(23)の緩みを防ぐとともに、ハンガー部(12)を支持する支持アーム部(13)を横杆(10)に強固に取り付けられるようになっている。
【００２０】
次に、背凭れ(５)へのハンガー(11)の取付手順を、図５に基づいて説明する。図５(ａ)に示すように、ハンガー部(12)を支持する支持アーム(13)(13)を、矢印Ｔで示すように、背凭れフレーム(６)における横杆(10)の前方に挿入する。
【００２１】
次いで、図５(ｂ)に示すように、支持アーム(13)の前側の嵌合溝(18)を横杆(10)の前面に嵌合させた後、横杆(10)の後方側から、取付部材(14)の係止片(17)を支持アーム(13)における差込孔(19)に差し込む。
【００２２】
次いで、図５(ｃ)に示すように、取付部材(14)の後側の嵌合溝(15)を、横杆(10)の後面に嵌合し、支持アーム(13)との両者で横杆(10)を前後から密接状態で挟持して、支持アーム(13)を横杆(10)に仮止めした後、取付部材(14)および支持アーム部(13)のボルト挿通孔(21)(22)にボルト(23)を挿入する。
【００２３】
前記ボルト(23)にナット(24)を螺合して、取付部材(14)と支持アーム(13)とを締着することにより、図５(ｄ)に示すように、ハンガー(11)を背凭れ(５)に着脱可能に取り付けることができる。
【００２４】
【発明の効果】
本発明によれば、次のような効果を奏することができる。
請求項１記載の発明によると、背凭れとハンガーとの一体感を高めることができ、美観の向上を図ることができるとともに、ハンガーに掛けた衣服等が背凭れの裏面に接触し、背凭れに付着した埃などにより汚れたりすることがないばかりでなく、椅子を回転したときにも、衣服が着座者の身体に触れることを防止することができる。
また、従来のように、背凭れの裏面にハンガーを装着するための加工を施す必要がないため、ハンガーを装着するものと、しないものとの両者において、背凭れの共用化を図ることができる。
【図面の簡単な説明】
【図１】  本発明の一実施形態を備える椅子の側面図である。
【図２】  同じく、椅子の背面図である。
【図３】  同じく、図２におけるIII−III線に沿う縦断側面図である。
【図４】  同じく、要部の分解斜視図である。
【図５】  同じく、背凭れフレームへのハンガーの取付状態を示す説明図である。
【符号の説明】
(１)椅子
(２)脚体
(３)脚柱
(4a)側壁
(５)背凭れ
(5a)上辺部
(６)背凭れフレーム
(７)縦杆
(8a)(8b)座支持杆
(９)座
(10)上部横杆
(11)ハンガー
(12)ハンガー部
(13)支持アーム
(14)取付部材
(15)嵌合溝
(16)段部
(17)係止片
(18)嵌合溝
(19)差込孔
(20)後部周縁
(21)(22)ボルト挿通孔
(23)ボルト
(24)ナット
【図１】
0004591882.tif 000002
【図２】
0004591882.tif 000003
【図３】
0004591882.tif 000004
【図４】
0004591882.tif 000005
【図５】
0004591882.tif 000006